(57)【要約】      （修正有）【課題】必要量の情報をその表裏面に精度良好に印字可能な表裏表示ＲＦＩＤシートおよびその作成方法を提供する。【解決手段】第１の表示領域４、第２の表示領域５およびＲＦＩＤタグ領域６に分割画成すること、第１の表示領域４および第２の表示領域５のみに印字を行うようにすることに着目し、中央部に位置する第１の表示領域４と、第１の表示領域４に第１の折曲げ線７を介して隣接するＲＦＩＤタグ領域６と、第１の表示領域４に第２の折曲げ線１０を介して隣接する第２の表示領域５と、を有し、第１の表示領域４および第２の表示領域５の表面に所定情報を印字可能とするとともに、第１の折曲げ線７においてＲＦＩＤタグ領域６を第１の表示領域４の裏面側に折り曲げ、第２の折曲げ線１０において第２の表示領域５をＲＦＩＤタグ領域６の表面側に積層するように折り曲げ可能としている。【選択図】図２
2008176240.tif 000002
【特許請求の範囲】
【請求項１】
非接触でデータの読取りおよび書込みが可能なＲＦＩＤタグを有するとともに、必要な情報を表示可能な表裏表示ＲＦＩＤシートであって、
シート状のシート基材の中央部に位置する第１の表示領域と、
この第１の表示領域に第１の折曲げ線を介して隣接し、前記シート基材の第１の端部側に位置するとともに前記ＲＦＩＤタグを備えたＲＦＩＤタグ領域と、
この第１の表示領域に第２の折曲げ線を介して隣接し、前記シート基材の第２の端部側に位置する第２の表示領域と、
を有し、
前記第１の表示領域および前記第２の表示領域のそれぞれの表面に所定情報を印字可能とするとともに、
少なくとも前記第２の表示領域の裏面に粘着剤層を形成し、
前記第１の折曲げ線において前記ＲＦＩＤタグ領域を前記第１の表示領域の裏面側に折り曲げ、さらに、前記第２の折曲げ線において前記第２の表示領域を前記ＲＦＩＤタグ領域の表面側に積層するように折り曲げ可能としたことを特徴とする表裏表示ＲＦＩＤシート。
【請求項２】
前記第１の表示領域、前記第２の表示領域および前記ＲＦＩＤタグ領域は、互いに合同の形状を有することを特徴とする請求項１記載の表裏表示ＲＦＩＤシート。
【請求項３】
前記第１の表示領域、前記第２の表示領域および前記ＲＦＩＤタグ領域に貫通孔をそれぞれ形成し、
前記第１の表示領域、前記第２の表示領域および前記ＲＦＩＤタグ領域を三層状態に積層した際に、これらの貫通孔が互いに一致するようにしたことを特徴とする請求項１記載の表裏表示ＲＦＩＤシート。
【請求項４】
前記第１の折曲げ線あるいは前記第２の折曲げ線の少なくともいずれか一方の近傍における前記シート基材の裏面側に非粘着領域を設けてあることを特徴とする請求項１記載の表裏表示ＲＦＩＤシート。
【請求項５】
非接触でデータの読取りおよび書込みが可能なＲＦＩＤタグを有するとともに、必要な情報を表示可能な表裏表示ＲＦＩＤシートの作成方法であって、
シート状のシート基材を、
その中央部に位置する第１の表示領域と、
この第１の表示領域に第１の折曲げ線を介して隣接し、前記シート基材の第１の端部側に位置するとともに前記ＲＦＩＤタグを備えたＲＦＩＤタグ領域と、
この第１の表示領域に第２の折曲げ線を介して隣接し、前記シート基材の第２の端部側に位置する第２の表示領域と、
に分割し、
前記第１の表示領域および前記第２の表示領域のそれぞれの表面に前記情報を印字可能とするとともに、
少なくとも前記第２の表示領域の裏面に粘着剤層を形成し、
前記第１の折曲げ線において前記ＲＦＩＤタグ領域を前記第１の表示領域の裏面側に折り曲げ、さらに、
前記第２の折曲げ線において前記第２の表示領域を前記ＲＦＩＤタグ領域の表面側に積層するように折り曲げて前記情報をその表裏面に表示可能としたことを特徴とする表裏表示ＲＦＩＤシートの作成方法。
【発明の詳細な説明】
【技術分野】
【０００１】
本発明は表裏表示ＲＦＩＤシートおよびその作成方法にかかるもので、とくにＲＦＩＤタグを有するとともに、その表裏両面に必要な情報を印字して表示可能な表裏表示ＲＦＩＤシートおよびその作成方法に関するものである。
【背景技術】
【０００２】
従来から、商品にその価格をはじめ必要な各種の情報を表示するために値札が使用されており、この値札には、任意の方式によるプリンターにおいて所定の可変情報を必要に応じて印字可能としている。
とくに最近は、非接触で電子データの読取りあるいは書込みを可能としたＲＦＩＤタグ（Ｒａｄｉｏ  Ｆｒｅｑｕｅｎｃｙ  Ｉｄｅｎｔｉｆｉｃａｔｉｏｎ技術による、非接触で情報の読取りや読書きを行うためのＲＦＩＤタグ、いわゆるＩＣチップタグ）を用いることによって、より大量の情報を書き込み、さらに読み取ることができるようになったが、このＲＦＩＤタグを組み込むような場合には、値札の表面に凹凸が生ずることを避けることができず、印字がかすれること、精密な印字を行うことが困難であること、さらには、印字部における印字圧によりＲＦＩＤタグ自体が破損するおそれがあることなどの諸問題がある。
【０００３】
なお、メガネや宝飾品その他特殊な商品については、その値札のデザイン上、あるいは、値札が比較的小さく印字する面積が小さいために、所定量の情報を表示するためには値札の表裏両面に印字する必要があるが、ＲＦＩＤタグを組み込む場合には、上記印字かすれや精度の問題およびＲＦＩＤタグ自体の破損の問題がある。
とくに、バーコードや二次元コードその他機械読取り可能な文字などを印字する場合には、印字精度が所定レベル以上であることが不可欠である。
さらに、値札を商品に取り付けるにあたって、メガネや宝飾品その他特殊な小物商品については、取付け用の細紐を通すための貫通孔（取付け孔）を形成しておく必要があるが、ＲＦＩＤタグのアンテナなどの大きさのため、この貫通孔を形成することが困難な場合もあり、取付け手段ないし構成の多様性も要請されている。
【０００４】
もちろん、商品用の値札以外にも、必要な情報をその表裏両面に表示する必要があるとともに、ＲＦＩＤタグを組み込むタイプの任意のシートやカードについても同様の諸問題がある。
【０００５】
【特許文献１】特開２００４−２６５１２６号公報
【発明の開示】
【発明が解決しようとする課題】
【０００６】
本発明は以上のような諸問題にかんがみなされたもので、その表裏両面に必要な情報をかすれなどなく精度良好に印字可能な表裏表示ＲＦＩＤシートおよびその作成方法を提供することを課題とする。
【０００７】
また本発明は、非接触で電子データの読取りあるいは書込みを可能としたＲＦＩＤタグを組み込んであっても、きれいに印字した情報を表示可能な表裏表示ＲＦＩＤシートおよびその作成方法を提供することを課題とする。
【０００８】
また本発明は、印字面積の大小にかかわらず、必要量の情報をその表裏面に印字可能な表裏表示ＲＦＩＤシートおよびその作成方法を提供することを課題とする。
【０００９】
また本発明は、値札などの形態に作成した場合にも、商品への取付け手段ないし構成を適宜選択可能な表裏表示ＲＦＩＤシートおよびその作成方法を提供することを課題とする。
【課題を解決するための手段】
【００１０】
すなわち本発明は、シート基材を第１の表示領域、第２の表示領域およびＲＦＩＤタグ領域に分割画成すること、第１の表示領域および第２の表示領域のみに印字を行うようにすること、およびＲＦＩＤタグ領域を最内部側に折り畳んで三層状態に積層することに着目したもので、第一の発明は、非接触でデータの読取りおよび書込みが可能なＲＦＩＤタグを有するとともに、必要な情報を表示可能な表裏表示ＲＦＩＤシートであって、シート状のシート基材の中央部に位置する第１の表示領域と、この第１の表示領域に第１の折曲げ線を介して隣接し、上記シート基材の第１の端部側に位置するとともに上記ＲＦＩＤタグを備えたＲＦＩＤタグ領域と、この第１の表示領域に第２の折曲げ線を介して隣接し、上記シート基材の第２の端部側に位置する第２の表示領域と、を有し、上記第１の表示領域および上記第２の表示領域のそれぞれの表面に所定情報を印字可能とするとともに、少なくとも上記第２の表示領域の裏面に粘着剤層を形成し、上記第１の折曲げ線において上記ＲＦＩＤタグ領域を上記第１の表示領域の裏面側に折り曲げ、さらに、上記第２の折曲げ線において上記第２の表示領域を上記ＲＦＩＤタグ領域の表面側に積層するように折り曲げ可能としたことを特徴とする表裏表示ＲＦＩＤシートである。
【００１１】
第二の発明は、非接触でデータの読取りおよび書込みが可能なＲＦＩＤタグを有するとともに、必要な情報を表示可能な表裏表示ＲＦＩＤシートの作成方法であって、シート状のシート基材を、その中央部に位置する第１の表示領域と、この第１の表示領域に第１の折曲げ線を介して隣接し、上記シート基材の第１の端部側に位置するとともに上記ＲＦＩＤタグを備えたＲＦＩＤタグ領域と、この第１の表示領域に第２の折曲げ線を介して隣接し、上記シート基材の第２の端部側に位置する第２の表示領域と、に分割し、上記第１の表示領域および上記第２の表示領域のそれぞれの表面に上記情報を印字可能とするとともに、少なくとも上記第２の表示領域の裏面に粘着剤層を形成し、上記第１の折曲げ線において上記ＲＦＩＤタグ領域を上記第１の表示領域の裏面側に折り曲げ、さらに、上記第２の折曲げ線において上記第２の表示領域を上記ＲＦＩＤタグ領域の表面側に積層するように折り曲げて上記情報をその表裏面に表示可能としたことを特徴とする表裏表示ＲＦＩＤシートの作成方法である。
【００１２】
上記第１の表示領域、上記第２の表示領域および上記ＲＦＩＤタグ領域は、互いに合同の形状を有することができる。
【００１３】
上記第１の表示領域、上記第２の表示領域および上記ＲＦＩＤタグ領域に貫通孔をそれぞれ形成し、上記第１の表示領域、上記第２の表示領域および上記ＲＦＩＤタグ領域を三層状態に積層した際に、これらの貫通孔が互いに一致するようにすることができる。
【００１４】
上記第１の折曲げ線あるいは上記第２の折曲げ線の少なくともいずれか一方の近傍における上記シート基材の裏面側に非粘着領域を設けてあることができる。
【００１５】
上記第１の表示領域、第２の表示領域およびＲＦＩＤタグ領域は、任意の合同形状であればよく、使用形態ないし使用目的に応じて、矩形状ないし四角形状、三角形状、円形状あるいは楕円形状など任意の形状にこれを形成することができる。
【発明の効果】
【００１６】
本発明による表裏表示ＲＦＩＤシートおよびその作成方法においては、シート基材を第１の表示領域、第２の表示領域およびＲＦＩＤタグ領域に画成し、第１の表示領域および第２の表示領域のみに印字を行って、ＲＦＩＤタグ領域を内方側（第１の表示領域の裏面側）に折り畳むとともに第２の表示領域をさらに折り畳み、三層状態に積層するようにしたので、ＲＦＩＤタグを組み込んであるＲＦＩＤタグ領域への印字を行うことなく、印字精度良好な印字による情報の表示が可能である。
【００１７】
とくに第一の発明によれば、精度良好な印字をその表裏両面（第１の表示領域および第２の表示領域）に表示可能であって、さらにＲＦＩＤタグによる電子データも読取りや書込みが可能であり、比較的小面積の小型値札などにも応用可能である。
【００１８】
とくに第二の発明によれば、第１の表示領域、第２の表示領域およびＲＦＩＤタグ領域を三層状態に積層するように折り曲げるので、精度良好な印字領域（第１の表示領域および第２の表示領域）と、大量データを組み込むことができるＲＦＩＤタグ領域と、を分離して形成しておくことができる。
【発明を実施するための最良の形態】
【００１９】
本発明は、第１の表示領域および第２の表示領域のみに印字を行い、ＲＦＩＤタグ領域には印字を行わないようにしたので、ＲＦＩＤタグを破損することなく、良好な印字精度を保持可能で、表裏両面への情報の表示が可能な表裏表示ＲＦＩＤシートおよびその作成方法を実現した。
【実施例】
【００２０】
つぎに本発明の第１の実施例による表裏表示ＲＦＩＤシート１およびその作成方法を図１ないし図４にもとづき説明する。
図１は、表裏表示ＲＦＩＤシート１の平面図、図２は、図１のＩＩ−ＩＩ線断面図であって、表裏表示ＲＦＩＤシート１は、帯状の台紙２（剥離紙）と、台紙２の表面側に仮着したシート状のシート基材３と、を有する。
【００２１】
シート基材３は、紙材あるいは合成樹脂材など任意のシート材であって、その中央部に位置する第１の表示領域４と、第２の表示領域５と、ＲＦＩＤタグ領域６と、を有する。
ＲＦＩＤタグ領域６は、この第１の表示領域４に第１の折曲げ線７を介して隣接し、シート基材３の第１の端部側８に位置するとともにＲＦＩＤタグ９を備えている。
第２の表示領域５は、この第１の表示領域４に第２の折曲げ線１０を介して隣接し、シート基材３の第２の端部側１１に位置する。
第１の表示領域４、第２の表示領域５およびＲＦＩＤタグ領域６は、互いに合同の形状（図示の例では細長矩形状）を有する。
【００２２】
とくに図２に示すように、表裏表示ＲＦＩＤシート１を所定のプリンターに装填し、その印字部１２において、たとえばサーマルヘッド１３とプラテンローラー１４との間に表裏表示ＲＦＩＤシート１を所定印字圧で挟持し、プラテンローラー１４を回転駆動するとともに、印字部１２に所定の印字情報のデータを供給して、第１の表示領域４および第２の表示領域５のそれぞれの表面には、第１の表示内容１５および第２の表示内容１６などとして、たとえば商品の価格や材料などに関する所定情報を印字可能としている。
この印字方式は任意であって、シート基材３の表面に感熱発色層を設けるか、あるいは熱転写リボンを介して印字を行うか、さらにはインクジェット方式など、任意のものを採用可能である。
なお、台紙２の裏面には、表裏表示ＲＦＩＤシート１の移送および印字の制御のために位置検出を行うための位置検出用マーク１７をあらかじめ印刷してある。
【００２３】
ＲＦＩＤタグ領域６は、非接触でデータの読取りおよび書込みが可能なＲＦＩＤタグ９を有する。
ＲＦＩＤタグ９は、フィルムシート１８にＩＣチップ１９およびアンテナ２０を設けたもので、インレットとしてＲＦＩＤタグ領域６の裏面側にこれを設けている。なおＩＣチップ１９およびアンテナ２０は、これを台紙２側に向けて設けている。
【００２４】
シート基材３の裏面には、粘着剤層２１を設けて台紙２に仮着可能としている。
この粘着剤層２１は、第１の粘着剤層２２（たとえば超強粘着性）および第２の粘着剤層２３（たとえば強粘着性）を積層したもので、第１の粘着剤層２２と第２の粘着剤層２３との間にＲＦＩＤタグ９を挟んで、ＲＦＩＤタグ領域６の裏面に固定している。
なお、表裏表示ＲＦＩＤシート１としては、後述するように、第１の表示領域４、第２の表示領域５およびＲＦＩＤタグ領域６を所定の手順で折り畳み、三層状態に積層して接着することができれば、上記ＲＦＩＤタグ９がＲＦＩＤタグ領域６の裏面に固定されていれば、少なくとも第２の表示領域５の裏面にこれを形成していればよいものである。
【００２５】
シート基材３の第１の表示領域４、第２の表示領域５およびＲＦＩＤタグ領域６には、貫通孔（第１の貫通孔２４、第２の貫通孔２５およびタグ領域貫通孔２６）をそれぞれ形成し、第１の表示領域４、第２の表示領域５およびＲＦＩＤタグ領域６を三層状態に積層した際に、これらの貫通孔２４、２５、２６が互いに一致して、取付け孔２７（図４、後述）となるようにしている。
【００２６】
こうした構成の表裏表示ＲＦＩＤシート１において、値札としての表裏表示ＲＦＩＤシート２８を作成する方法について説明する。
図３は、シート基材３を、その第１の表示領域４および第２の表示領域５に印字した上で、台紙２から剥離し、第１の折曲げ線７および第２の折曲げ線１０において折り曲げる工程の断面図、図４は、作成した表裏表示ＲＦＩＤシート２８の断面図である。
とくに図３に示すように、第１の折曲げ線７においてＲＦＩＤタグ領域６を第１の表示領域４の裏面側に折り曲げ、粘着剤層２１により第１の表示領域４およびＲＦＩＤタグ領域６を二層状態に積層固定する。
さらに、第２の折曲げ線１０において第２の表示領域５をＲＦＩＤタグ領域６の表面側に積層するように折り曲げて、粘着剤層２１により第２の表示領域５およびＲＦＩＤタグ領域６を二層状態に積層固定することにより、最終的にＲＦＩＤタグ領域６が最内層に位置するように、第１の表示領域４、第２の表示領域５およびＲＦＩＤタグ領域６を三層状態に積層固定する。
【００２７】
したがって、図４に示すように、シート基材３を一枚の表裏表示ＲＦＩＤシート２８として作成することができるとともに、第１の貫通孔２４、第２の貫通孔２５およびタグ領域貫通孔２６が表裏表示ＲＦＩＤシート２８の厚さ方向に一致して取付け孔２７となり、この取付け孔２７に取付け紐２９を挿通し、表裏表示ＲＦＩＤシート２８を任意の商品Ｍに取り付けて必要な情報を表示可能とする。
この表裏表示ＲＦＩＤシート２８は、その表裏両面に第１の表示内容１５（第１の表示領域４）および第２の表示内容１６（第２の表示領域５）を表示可能であるとともに、その内層側にＲＦＩＤタグ領域６のＲＦＩＤタグ９を備えていることになり、表裏両面の印字を精度よく実行可能であるとともに、ＲＦＩＤタグ９の破損のおそれも低減されている。
【００２８】
図５は、本発明の第２の実施例による表裏表示ＲＦＩＤシート３０におけるシート基材３の裏面図、図６は、図５のＶＩ−ＶＩ線断面図である。
表裏表示ＲＦＩＤシート３０においては、第１の実施例による表裏表示ＲＦＩＤシート１（図１）とは異なり、貫通孔（第１の貫通孔２４、第２の貫通孔２５およびタグ領域貫通孔２６）を形成することなく、代わりに、第１の折曲げ線７あるいは第２の折曲げ線１０の少なくともいずれか一方の近傍におけるシート基材３の裏面側に非粘着領域（第１の非粘着領域３１、第２の非粘着領域３２）を設けてある。
この非粘着領域としては、粘着剤を塗布しない構成、あるいは、粘着剤を塗布したのちその活性を消失させる非粘着加工などによる構成を採用することができる。
他の構成は、上記表裏表示ＲＦＩＤシート１と事実上同様である。
【００２９】
こうした構成の表裏表示ＲＦＩＤシート３０においては、既述のように第１の表示領域４、第２の表示領域５およびＲＦＩＤタグ領域６を三層状態に折り畳むことにより、図７の斜視図に示すような表裏表示ＲＦＩＤシート３３として作成したときに、第１の非粘着領域３１および第２の非粘着領域３２の部分では、粘着性がないので、取付け紐２９をこの第１の非粘着領域３１あるいは第２の非粘着領域３２に通した状態に取り付けることができる。
したがって、シート基材３（とくにＲＦＩＤタグ領域６）に貫通孔を形成する必要がないので、ＲＦＩＤタグ領域６におけるＲＦＩＤタグ９のアンテナ２０などの位置や形状ないし大きさに影響されることなく、表裏表示ＲＦＩＤシート３３としての設計の自由度を増すことができるとともに、第１の表示領域４および第２の表示領域５におけるそれぞれの第１の表示内容１５および第２の表示内容１６を選択することができる。
【００３０】
もちろん本発明においては、貫通孔（第１の貫通孔２４、第２の貫通孔２５およびタグ領域貫通孔２６）を形成せずに、取付け紐２９を第１の折曲げ線７あるいは第２の折曲げ線１０に置いた状態で、第１の表示領域４、第２の表示領域５およびＲＦＩＤタグ領域６を折り曲げれば、非粘着領域（第１の非粘着領域３１、第２の非粘着領域３２）を形成しなくても、取付け紐２９を第１の折曲げ線７あるいは第２の折曲げ線１０の部分に固定した状態で取り付けることができる。
【００３１】
図８は、本発明の第３の実施例による表裏表示ＲＦＩＤシート４０の平面図であって、表裏表示ＲＦＩＤシート４０においては、シート基材３を第１の表示領域４、第２の表示領域５およびＲＦＩＤタグ領域６に分割形成する形態が異なっている。
すなわち、図８に太線で示したように、たとえば四角形状とした第１の表示領域４の隣り合った辺に隣接して第２の表示領域５およびＲＦＩＤタグ領域６を鉤の手状に形成する以外は、既述の各実施例（図１および図５を参照）と同様な構成を採用することができる。
【００３２】
図９は、第１の表示領域４および第２の表示領域５に第１の表示内容１５および第２の表示内容１６を印字した上で台紙２から剥離した状態のシート基材３を三層状態に折り畳む工程を示す斜視図、図１０は、表裏表示ＲＦＩＤシート４１として作成した状態の斜視図である。
図９に示すように、第１の折曲げ線７の部分においてＲＦＩＤタグ領域６を第１の表示領域４の裏面側に折り畳んで接着するとともに、さらに第２の折曲げ線１０の部分において第２の表示領域５をＲＦＩＤタグ領域６の表面側に折り畳んで、図１０に示すような表裏表示ＲＦＩＤシート４１とすることができる。
【００３３】
したがって、表裏表示ＲＦＩＤシート４１の表裏両面に所定の情報を表示可能な第１の表示内容１５および第２の表示内容１６を位置させるとともに、ＲＦＩＤタグ９による大量データの保存も可能である。
【産業上の利用可能性】
【００３４】
本発明は、上述した実施例による値札など以外にも、表裏両面に精度良好に印字を行うとともに、ＲＦＩＤタグを備えたカードその他のシート状部材に応用することもできる。
【図面の簡単な説明】
【００３５】
【図１】本発明の第１の実施例による表裏表示ＲＦＩＤシート１の平面図である。
【図２】同、図１のＩＩ−ＩＩ線断面図である。
【図３】同、シート基材３を、その第１の表示領域４および第２の表示領域５に印字した上で、台紙２から剥離し、第１の折曲げ線７および第２の折曲げ線１０において折り曲げる工程の断面図である。
【図４】同、作成した表裏表示ＲＦＩＤシート２８の断面図である。
【図５】本発明の第２の実施例による表裏表示ＲＦＩＤシート３０におけるシート基材３の裏面図である。
【図６】同、図５のＶＩ−ＶＩ線断面図である。
【図７】同、第１の表示領域４、第２の表示領域５およびＲＦＩＤタグ領域６を三層状態に折り畳んで表裏表示ＲＦＩＤシート３３とした状態の斜視図である。
【図８】本発明の第３の実施例による表裏表示ＲＦＩＤシート４０の平面図である。
【図９】同、第１の表示領域４および第２の表示領域５に第１の表示内容１５および第２の表示内容１６を印字した上で台紙２から剥離した状態のシート基材３を三層状態に折り畳む工程を示す斜視図である。
【図１０】同、表裏表示ＲＦＩＤシート４１として作成した状態の斜視図である。
【符号の説明】
【００３６】
１  表裏表示ＲＦＩＤシート（第１の実施例、図１）
２  台紙
３  シート基材
４  第１の表示領域
５  第２の表示領域
６  ＲＦＩＤタグ領域
７  第１の表示領域４とＲＦＩＤタグ領域６との間の第１の折曲げ線
８  シート基材３の第１の端部側
９  ＲＦＩＤタグ
１０  第１の表示領域４と第２の表示領域５との間の第２の折曲げ線
１１  シート基材３の第２の端部側
１２  印字部
１３  サーマルヘッド
１４  プラテンローラー
１５  第１の表示領域４における第１の表示内容
１６  第２の表示領域５における第２の表示内容
１７  位置検出用マーク
１８  フィルムシート
１９  ＩＣチップ
２０  アンテナ
２１  粘着剤層
２２  第１の粘着剤層
２３  第２の粘着剤層
２４  第１の表示領域４における第１の貫通孔
２５  第２の表示領域５における第２の貫通孔
２６  ＲＦＩＤタグ領域６におけるタグ領域貫通孔
２７  取付け孔（第１の貫通孔２４、第２の貫通孔２５、タグ領域貫通孔２６）
２８  表裏表示ＲＦＩＤシート（図４）
２９  取付け紐
３０  表裏表示ＲＦＩＤシート（第２の実施例、図５）
３１  第１の折曲げ線７部分における第１の非粘着領域
３２  第２の折曲げ線１０部分における第２の非粘着領域
３３  表裏表示ＲＦＩＤシート（図７）
４０  表裏表示ＲＦＩＤシート（第３の実施例、図８）
４１  表裏表示ＲＦＩＤシート（図１０）
Ｍ    商品（図４）
【図１】
2008176240.tif 000003
【図２】
2008176240.tif 000004
【図３】
2008176240.tif 000005
【図４】
2008176240.tif 000006
【図５】
2008176240.tif 000007
【図６】
2008176240.tif 000008
【図７】
2008176240.tif 000009
【図８】
2008176240.tif 000010
【図９】
2008176240.tif 000011
【図１０】
2008176240.tif 000012